(57)【要約】【課題】記憶部の空き容量を増やしつつ、コンテンツ再生時における解凍待ち時間を短縮可能なようにする。【解決手段】ＨＤＤに記憶されているコンテンツデータＤ１に対するコンテンツ処理方法であって、記憶されているコンテンツデータＤ１を分割することで得られる複数のコンテンツデータ部分Ｄ２＃１〜＃６を圧縮するステップＳ２と、コンテンツデータＤ１を、複数の圧縮コンテンツデータ部分Ｄ３＃１〜＃６に書き換えるステップＳ３と、複数の圧縮コンテンツデータ部分Ｄ３＃１〜＃６を順次解凍するステップＳ４と、複数の解凍コンテンツデータ部分Ｄ４＃１〜＃６を先頭の解凍コンテンツデータ部分Ｄ４＃１から順次再生するステップＳ５とを具備し、ステップＳ５では、複数の圧縮コンテンツデータ部分Ｄ３＃１〜＃６の全てに対する解凍が完了する前に、先頭の解凍コンテンツデータ部分Ｄ４＃１の再生を開始する。【選択図】図３
2012015713.tif 000002
【特許請求の範囲】
【請求項１】
コンテンツデータを記憶する記憶部を用いて構成される記録再生装置であって、
前記記憶部に記憶されている前記コンテンツデータを所定時間単位で分割することで得られる複数のコンテンツデータ部分を圧縮する圧縮部と、
前記記憶部に記憶されている前記コンテンツデータを、前記圧縮部によって得られる複数の圧縮コンテンツデータ部分に書き換える書き換え部と、
前記記憶部に記憶されている前記複数の圧縮コンテンツデータ部分を順次解凍する解凍部と、
前記解凍部によって得られる複数の解凍コンテンツデータ部分を先頭の解凍コンテンツデータ部分から順次再生する再生部とを具備し、
前記再生部は、前記解凍部により一の解凍コンテンツデータ部分が得られたことを検知すると、前記一の解凍コンテンツデータ部分を再生することを特徴とする記録再生装置。
【請求項２】
前記圧縮部は、前記複数のコンテンツデータ部分のうち先頭のコンテンツデータ部分の時間長を他のコンテンツデータ部分よりも短くするよう分割した上で、前記複数のコンテンツデータ部分のそれぞれを圧縮することを特徴とする請求項１に記載の記録再生装置。
【請求項３】
前記再生部は、前記複数の圧縮コンテンツデータ部分のうち先頭の圧縮コンテンツデータ部分が解凍された後であって、残りの圧縮コンテンツデータ部分の解凍が開始される前又は前記残りの圧縮コンテンツデータ部分の解凍中に、前記先頭の解凍コンテンツデータ部分の再生を開始することを特徴とする請求項１又は２に記載の記録再生装置。
【請求項４】
前記圧縮部は、前記複数のコンテンツデータ部分のうち先頭のコンテンツデータ部分の圧縮を省略した上で、残りのコンテンツデータ部分のそれぞれを圧縮することを特徴とする請求項１に記載の記録再生装置。
【請求項５】
前記複数のコンテンツデータ部分のそれぞれは、複数の映像フレームを含み、
前記圧縮部は、前記複数の映像フレームのうち特定の映像フレームを静止画圧縮方式により圧縮しており、
早送り再生又は巻き戻し再生がユーザ操作により指示された場合に、
前記解凍部は、前記記憶部に記憶されている前記複数の圧縮コンテンツデータ部分のそれぞれの前記特定の映像フレームのみを解凍し、
前記再生部は、前記解凍部が前記複数の圧縮コンテンツデータ部分のそれぞれについて解凍した前記特定の映像フレームを再生することを特徴とする請求項１〜４の何れか一項に記載の記録再生装置。
【請求項６】
前記複数のコンテンツデータ部分のそれぞれは、複数の映像フレームを含み、
前記圧縮部は、前記複数の映像フレームのうち特定の映像フレームに対する圧縮を省略しており、
早送り再生又は巻き戻し再生がユーザ操作により指示された場合に、前記再生部は、前記記憶部に記憶されている前記複数の圧縮コンテンツデータ部分のそれぞれの前記特定の映像フレームのみを再生することを特徴とする請求項１〜４の何れか一項に記載の記録再生装置。
【請求項７】
記憶部に記憶されているコンテンツデータに対するコンテンツ処理方法であって、
前記記憶部に記憶されている前記コンテンツデータを所定時間単位で分割するステップと、
前記分割するステップによって得られる複数のコンテンツデータ部分を圧縮するステップと、
前記記憶部に記憶されている前記コンテンツデータを、前記圧縮するステップによって得られる複数の圧縮コンテンツデータ部分に書き換えるステップと、
前記記憶部に記憶されている前記複数の圧縮コンテンツデータ部分を順次解凍するステップと、
前記解凍するステップによって得られる複数の解凍コンテンツデータ部分を先頭の解凍コンテンツデータ部分から順次再生するステップとを具備し、
前記再生するステップでは、前記解凍するステップにより一の解凍コンテンツデータ部分が得られたことを検知すると、前記一の解凍コンテンツデータ部分を再生することを特徴とするコンテンツ処理方法。
【発明の詳細な説明】
【技術分野】
【０００１】
本発明は、コンテンツデータを記憶する記憶部を用いて構成される記録再生装置及びコンテンツ処理方法に関する。
【背景技術】
【０００２】
従来、テレビ放送コンテンツ等のコンテンツデータを記憶する記憶部を用いて構成される記録再生装置が普及している。このような記憶部としては、ＨＤＤ（Hard Disk Drive）等の磁気記憶装置、ＳＳＤ（Solid State Drive）等の半導体記憶装置、又は光学ドライブが用いられるが、それらの記憶容量は有限である。
【０００３】
記憶部の空き容量を増やすことができる技術として、記録再生装置のスタンバイ時において、記憶部に記憶されているコンテンツデータを自動で圧縮し、圧縮前のコンテンツデータを、圧縮後のコンテンツデータに書き換える手法が提案されている（特許文献１参照）。
【先行技術文献】
【特許文献】
【０００４】
【特許文献１】特開２００６−２４５７１５号公報
【発明の概要】
【発明が解決しようとする課題】
【０００５】
圧縮されたコンテンツデータを再生して視聴するためには、当該コンテンツデータを解凍する必要がある。このため、圧縮されたコンテンツデータの再生時（以下、コンテンツ再生時）において、ユーザは、圧縮されたコンテンツデータ全体の解凍が完了するまで待たなければならない。そのような解凍待ち時間が長くなると、ユーザの利便性が損なわれる問題がある。特に、処理能力の低い記録再生装置においては、コンテンツ再生時における解凍待ち時間が長くなる問題が顕著になる。
【０００６】
そこで、本発明は、記憶部の空き容量を増やしつつ、コンテンツ再生時における解凍待ち時間を短縮可能な記録再生装置及びコンテンツ処理方法を提供することを目的とする。
【課題を解決するための手段】
【０００７】
上述した課題を解決するために、本発明は以下のような特徴を有している。まず、本発明に係る記録再生装置の特徴は、コンテンツデータ（コンテンツデータＤ１）を記憶する記憶部（例えばＨＤＤ１５０）を用いて構成される記録再生装置（例えばチューナ内蔵ＨＤＤレコーダ１００又はＮＡＳ２００）であって、前記記憶部に記憶されている前記コンテンツデータを所定時間単位で分割することで得られる複数のコンテンツデータ部分（コンテンツデータ部分Ｄ２）を圧縮する圧縮部（圧縮部１４２）と、前記記憶部に記憶されている前記コンテンツデータを、前記圧縮部によって得られる複数の圧縮コンテンツデータ部分（圧縮コンテンツデータ部分Ｄ３）に書き換える書き換え部（書き換え部１４３）と、前記記憶部に記憶されている前記複数の圧縮コンテンツデータ部分を順次解凍する解凍部（解凍部１４４）と、前記解凍部によって得られる複数の解凍コンテンツデータ部分（解凍コンテンツデータ部分Ｄ４）を先頭の解凍コンテンツデータ部分（解凍コンテンツデータ部分Ｄ４＃１）から順次再生する再生部（再生部１４５）とを具備し、前記再生部は、前記解凍部により一の解凍コンテンツデータ部分が得られたことを検知すると、前記一の解凍コンテンツデータ部分を再生することを要旨とする。
【０００８】
このような特徴によれば、記憶部に記憶されているコンテンツデータを、圧縮部によって得られる複数の圧縮コンテンツデータ部分に書き換えることによって、記憶部の空き容量を増やすことができる。また、解凍部は、記憶部に記憶されている複数の圧縮コンテンツデータ部分を順次解凍し、再生部は、解凍部によって得られる複数の解凍コンテンツデータ部分を先頭の解凍コンテンツデータ部分から順次再生する。ここで、再生部は、解凍部により一の解凍コンテンツデータ部分が得られたことを検知すると、当該一の解凍コンテンツデータ部分を再生する。これにより、先頭の解凍コンテンツデータ部分の再生を早期に開始することができるため、コンテンツ再生時における解凍待ち時間を短縮できる。
【０００９】
したがって、上記の特徴によれば、記憶部の空き容量を増やしつつ、コンテンツ再生時における解凍待ち時間を短縮可能な記録再生装置を提供できる。
【００１０】
本発明に係る記録再生装置の他の特徴は、上記の特徴に係る記録再生装置において、前記圧縮部は、前記複数のコンテンツデータ部分のうち先頭のコンテンツデータ部分（コンテンツデータ部分Ｄ２＃１）の時間長を他のコンテンツデータ部分（例えばコンテンツデータ部分Ｄ２＃２）よりも短くするよう分割した上で、前記複数のコンテンツデータ部分のそれぞれを圧縮することを要旨とする。
【００１１】
本発明に係る記録再生装置の他の特徴は、上記の特徴に係る記録再生装置において、前記再生部は、前記複数の圧縮コンテンツデータ部分のうち先頭の圧縮コンテンツデータ部分（圧縮コンテンツデータ部分Ｄ３＃１）が解凍された後であって、残りの圧縮コンテンツデータ部分（例えば圧縮コンテンツデータ部分Ｄ３＃２〜＃６）の解凍が開始される前又は前記残りの圧縮コンテンツデータ部分の解凍中に、前記先頭の解凍コンテンツデータ部分の再生を開始することを要旨とする。
【００１２】
本発明に係る記録再生装置の他の特徴は、上記の特徴に係る記録再生装置において、前記圧縮部は、前記複数のコンテンツデータ部分のうち先頭のコンテンツデータ部分（コンテンツデータ部分Ｄ２＃１）の圧縮を省略した上で、残りのコンテンツデータ部分（例えばコンテンツデータ部分Ｄ２＃２〜＃６）のそれぞれを圧縮することを要旨とする。
【００１３】
本発明に係る記録再生装置の他の特徴は、上記の特徴に係る記録再生装置において、前記複数のコンテンツデータ部分のそれぞれは、複数の映像フレームを含み、前記圧縮部は、前記複数の映像フレームのうち特定の映像フレーム（例えば先頭の映像フレームＦ１）を静止画圧縮方式により圧縮しており、早送り再生又は巻き戻し再生がユーザ操作により指示された場合に、前記解凍部は、前記記憶部に記憶されている前記複数の圧縮コンテンツデータ部分のそれぞれの前記特定の映像フレームのみを解凍し、前記再生部は、前記解凍部が前記複数の圧縮コンテンツデータ部分のそれぞれについて解凍した前記特定の映像フレームを再生することを要旨とする。
【００１４】
本発明に係る記録再生装置の他の特徴は、上記の特徴に係る記録再生装置において、前記複数のコンテンツデータ部分のそれぞれは、複数の映像フレームを含み、前記圧縮部は、前記複数の映像フレームのうち特定の映像フレーム（例えば先頭の映像フレームＦ１）に対する圧縮を省略しており、早送り再生又は巻き戻し再生がユーザ操作により指示された場合に、前記再生部は、前記記憶部に記憶されている前記複数の圧縮コンテンツデータ部分のそれぞれの前記特定の映像フレームのみを再生することを要旨とする。
【００１５】
本発明に係るコンテンツ処理方法の特徴は、記憶部に記憶されているコンテンツデータに対するコンテンツ処理方法であって、前記記憶部に記憶されている前記コンテンツデータを所定時間単位で分割するステップ（ステップＳ１）と、前記分割するステップによって得られる複数のコンテンツデータ部分を圧縮するステップ（ステップＳ２）と、前記記憶部に記憶されている前記コンテンツデータを、前記圧縮するステップによって得られる複数の圧縮コンテンツデータ部分に書き換えるステップ（ステップＳ３）と、前記記憶部に記憶されている前記複数の圧縮コンテンツデータ部分を順次解凍するステップ（ステップＳ４）と、前記解凍するステップによって得られる複数の解凍コンテンツデータ部分を先頭の解凍コンテンツデータ部分から順次再生するステップ（ステップＳ５）とを具備し、前記再生するステップでは、前記解凍するステップにより一の解凍コンテンツデータ部分が得られたことを検知すると、前記一の解凍コンテンツデータ部分を再生することを要旨とする。
【発明の効果】
【００１６】
本発明によれば、記憶部の空き容量を増やしつつ、コンテンツ再生時における解凍待ち時間を短縮可能な記録再生装置及びコンテンツ処理方法を提供できる。
【図面の簡単な説明】
【００１７】
【図１】本発明の記録再生装置の一実施形態であるチューナ内蔵ＨＤＤレコーダのハードウェア構成を示すブロック図である。
【図２】本発明の記録再生装置の一実施形態であるチューナ内蔵ＨＤＤレコーダのソフトウェア構成を示すブロック図である。
【図３】本発明の記録再生装置の一実施形態であるチューナ内蔵ＨＤＤレコーダの動作を説明するための動作説明図である。
【図４】本発明の記録再生装置の一実施形態であるチューナ内蔵ＨＤＤレコーダの早送り再生又は巻き戻し再生時動作を説明するための動作説明図である。
【図５】本発明の記録再生装置のその他の実施形態であるＮＡＳのハードウェア構成を示すブロック図である。
【発明を実施するための形態】
【００１８】
図面を参照して、本発明の実施形態を説明する。以下の実施形態における図面において、同一又は類似の部分には同一又は類似の符号を付す。
【００１９】
（１）構成
本発明の記録再生装置の一実施形態であるチューナ内蔵ＨＤＤレコーダ１００の構成について、（１．１）ハードウェア構成、（１．２）ソフトウェア構成の順に説明する。
【００２０】
（１．１）ハードウェア構成
図１は、本実施形態に係るチューナ内蔵ＨＤＤレコーダ１００のハードウェア構成を示すブロック図である。
【００２１】
図１に示すように、チューナ内蔵ＨＤＤレコーダ１００は、テレビ放送波を受信するアンテナ１０に接続される入力端子１０１と、自装置が再生するコンテンツデータを出力する１又は複数の出力端子１０２とを有する。コンテンツデータは、映像データ及び音声データによって構成される。出力端子１０２は、テレビ等の映像表示装置に接続されてもよく、ＬＡＮ（Local Area Network）に接続されてもよい。あるいは、ＵＳＢ、ＨＤＭＩ、コンポジット（ケーブル）、Ｓ端子、Ｄ端子等であってもよい。
【００２２】
チューナ内蔵ＨＤＤレコーダ１００は、ユーザからの操作（以下、ユーザ操作）を受け付けるリモコン２０を用いて遠隔操作される。リモコン２０は、電源ボタン、選局ボタン、録画ボタン、再生ボタン、コンテンツ選択ボタン、早送りボタン、巻き戻しボタン等の各種のボタンを有し、押下されたボタンに対応するリモコン信号を送信する。
【００２３】
チューナ内蔵ＨＤＤレコーダ１００は、入力端子１０１に接続されるチューナ部１１０と、リモコン２０からのリモコン信号が入力される受光部１２０と、チューナ部１１０及び受光部１２０のそれぞれの出力が入力されるＣＰＵ１４０と、ＣＰＵ１４０に接続されるＨＤＤ１５０と、ＣＰＵ１４０の出力が入力される映像・音声出力部１６０とを有する。映像・音声出力部１６０の出力は出力端子１０２に接続される。
【００２４】
チューナ部１１０は、ＣＰＵ１４０からの制御により、ユーザ操作により指定されたチャンネルに切り換える選局動作を行う。チューナ部１１０は、テレビ放送信号を復調及び復号することでコンテンツデータを得る。
【００２５】
受光部１２０は、ユーザ操作に対応するリモコン信号を電気信号に変換し、当該電気信号をＣＰＵ１４０に入力する。
【００２６】
ＣＰＵ１４０は、コンテンツデータを圧縮、解凍、及び再生する機能と、チューナ内蔵ＨＤＤレコーダ１００全体を制御する機能とを有する。ＣＰＵ１４０には、ＣＰＵ１４０が実行する制御プログラムを記憶するフラッシュメモリ１３１と、ＣＰＵ１４０の作業領域として使用されるＤＲＡＭ（Dynamic Random Access Memory）１３２とが接続される。
【００２７】
ＨＤＤ１５０は、チューナ部１１０からＣＰＵ１４０を介して入力されるコンテンツデータを記憶する。なお、本実施形態では、記憶部としてＨＤＤを使用しているが、ＨＤＤに限らず、ＳＳＤや光学ドライブ等の他の記憶部を使用してもよい。また、カートリッジ型ＨＤＤ等の着脱可能なＨＤＤを用いてもよい。
【００２８】
ＣＰＵ１４０は、ユーザ操作に応じて、ＨＤＤ１５０からコンテンツデータを読み出し、読み出したコンテンツデータを再生する。
【００２９】
映像・音声出力部１６０は、ＣＰＵ１４０が再生したコンテンツデータを、出力端子１０２を介して外部に出力する。
【００３０】
（１．２）ソフトウェア構成
図２は、チューナ内蔵ＨＤＤレコーダ１００のソフトウェア構成を示すブロック図である。
【００３１】
図２に示すように、チューナ内蔵ＨＤＤレコーダ１００のＣＰＵ１４０は、フラッシュメモリ１３１に記憶されている制御プログラムを実行することで、不使用時間特定部１４１、圧縮部１４２、書き換え部１４３、解凍部１４４、及び再生部１４５のそれぞれの機能を提供する。
【００３２】
不使用時間特定部１４１は、チューナ内蔵ＨＤＤレコーダ１００の不使用時間、具体的には、ＨＤＤ１５０の不使用時間を特定する。ＨＤＤ１５０の不使用時間とは、ＨＤＤ１５０に対するコンテンツデータの書き込みが実行中ではなく、且つ、ＨＤＤ１５０からのコンテンツデータの読み出しが実行中ではない時間を意味する。例えば、チューナ内蔵ＨＤＤレコーダ１００のスタンバイ状態においては、予約録画が実行される時間以外の時間はＨＤＤの不使用時間となる。
【００３３】
圧縮部１４２は、不使用時間特定部１４１によって特定された不使用時間において、ＨＤＤ１５０に記憶されているコンテンツデータに対する圧縮処理を行う。具体的には、圧縮部１４２は、ＨＤＤ１５０に記憶されているコンテンツデータＤ１を所定時間単位で分割することで得られる複数のコンテンツデータ部分Ｄ２を圧縮する（図３（ａ）及び（ｂ）参照）。所定時間とは、例えば、１分又は１秒といったように、予め定められた時間である。
【００３４】
書き換え部１４３は、ＨＤＤ１５０に記憶されているコンテンツデータＤ１を、圧縮部１４２によって得られる複数の圧縮コンテンツデータ部分Ｄ３に書き換える（図３（ｃ）参照）。具体的には、書き換え部１４３は、ＨＤＤ１５０に記憶されているコンテンツデータＤ１を削除するとともに、圧縮部１４２によって得られる複数の圧縮コンテンツデータ部分Ｄ３をＨＤＤ１５０に記憶させる。
【００３５】
解凍部１４４及び再生部１４５は、コンテンツデータＤ１に対応する複数の圧縮コンテンツデータ部分Ｄ３の再生をユーザ操作により指示された場合に、複数の圧縮コンテンツデータ部分Ｄ３の解凍及び再生を行う（図４（ｃ）及び（ｄ）参照）。
【００３６】
解凍部１４４は、ＨＤＤ１５０に記憶されている複数の圧縮コンテンツデータ部分Ｄ３を順次解凍する。
【００３７】
再生部１４５は、解凍部１４４によって得られる複数の解凍コンテンツデータ部分Ｄ４を先頭の解凍コンテンツデータ部分Ｄ４＃１から順次再生する。具体的には、再生部１４５は、解凍部１４４によって一の解凍コンテンツデータ部分Ｄ４が得られたことを検知すると、当該一の解凍コンテンツデータ部分Ｄ４を再生する。これにより、再生部１４５は、複数の圧縮コンテンツデータ部分Ｄ３の全てに対する解凍が完了する前に、先頭の解凍コンテンツデータ部分Ｄ４＃１の再生を開始できる。
【００３８】
（２）動作
次に、チューナ内蔵ＨＤＤレコーダ１００の動作について、（２．１）圧縮時動作、（２．２）通常再生時動作、（２．３）早送り再生又は巻き戻し再生時動作の順に説明する。
【００３９】
（２．１）圧縮時動作
図３（ａ）〜（ｃ）は、チューナ内蔵ＨＤＤレコーダ１００の圧縮時動作を説明するための動作説明図である。
【００４０】
図３（ａ）に示すように、ＨＤＤ１５０は、チューナ部１１０によって得られたコンテンツデータＤ１を記憶している。圧縮部１４２は、ＨＤＤ１５０の不使用時間において、以下の手順により、ＨＤＤ１５０に記憶されているコンテンツデータＤ１に対する圧縮処理を行う。
【００４１】
図３（ｂ）に示すように、圧縮部１４２は、ＨＤＤ１５０に記憶されているコンテンツデータＤ１を所定時間単位で分割する（ステップＳ１）。ここでは、コンテンツデータＤ１の分割により、コンテンツデータ部分Ｄ２＃１〜＃６が得られたものとする。
【００４２】
図３（ｃ）に示すように、圧縮部１４２は、コンテンツデータ部分Ｄ２＃１〜＃６のそれぞれを圧縮する（ステップＳ２）。例えば、圧縮部１４２は、可逆圧縮方式により、コンテンツデータ部分Ｄ２＃１〜＃６のそれぞれを圧縮する。
【００４３】
コンテンツデータ部分Ｄ２＃１〜＃６のそれぞれは、複数の映像フレームを含む。本実施形態では、圧縮部１４２は、コンテンツデータ部分Ｄ２＃１〜＃６のそれぞれについて、複数の映像フレームのうち先頭の映像フレームＦ１を静止画圧縮方式（例えばＪＰＥＧ）により圧縮する。ＪＰＥＧ等の静止画圧縮方式は非可逆圧縮方式である。
【００４４】
コンテンツデータ部分Ｄ２＃１においては、先頭の映像フレームＦ１＃１は静止画圧縮方式により圧縮され、残りの映像フレームは可逆圧縮方式により圧縮される。また、コンテンツデータ部分Ｄ２＃２においては、先頭の映像フレームＦ１＃２は静止画圧縮方式により圧縮され、残りの映像フレームは可逆圧縮方式により圧縮される。コンテンツデータ部分Ｄ２＃３以降も同様である。
【００４５】
図３（ｃ）に示すように、書き換え部１４３は、ＨＤＤ１５０に記憶されているコンテンツデータＤ１を、圧縮部１４２によって得られる圧縮コンテンツデータ部分Ｄ３＃１〜＃６に書き換える（ステップＳ３）。具体的には、書き換え部１４３は、ＨＤＤ１５０に記憶されているコンテンツデータＤ１を削除するとともに、圧縮部１４２によって得られる圧縮コンテンツデータ部分Ｄ３＃１〜＃６をＨＤＤ１５０に記憶させる。
【００４６】
ここで、書き換え部１４３は、圧縮コンテンツデータ部分Ｄ３＃１〜＃６をユーザに意識させないように、圧縮コンテンツデータ部分Ｄ３＃１〜＃６が１つのコンテンツデータとしてリスト上で表示されるように、ＨＤＤ管理データ（いわゆるコンテンツリスト）を書き換えることが好ましい。
【００４７】
なお、本動作例では、圧縮部１４２がコンテンツデータ部分Ｄ２＃１〜＃６の時間長が等しくなるようコンテンツデータＤ１を分割した上で、複数のコンテンツデータ部分Ｄ２＃１〜＃６のそれぞれを圧縮する一例を説明した。
【００４８】
しかしながら、圧縮部１４２は、先頭のコンテンツデータ部分Ｄ２＃１の時間長を他のコンテンツデータ部分Ｄ２（例えばコンテンツデータ部分Ｄ２＃２）よりも短くするよう分割した上で、複数のコンテンツデータ部分Ｄ２＃１〜＃６のそれぞれを圧縮してもよい。例えば、コンテンツデータ部分Ｄ２＃１の時間長を５秒とし、コンテンツデータ部分Ｄ２＃２〜＃６のそれぞれの時間長を１分とする。
【００４９】
（２．２）通常再生時動作
次に、通常再生時動作について説明する。図３（ｃ）及び（ｄ）は、チューナ内蔵ＨＤＤレコーダ１００の通常再生時動作を説明するための動作説明図である。
【００５０】
図３（ｃ）及び（ｄ）に示すように、解凍部１４４は、ＨＤＤ１５０に記憶されている、１つのコンテンツデータＤ１に対応する圧縮コンテンツデータ部分Ｄ３＃１〜＃６の再生をユーザ操作により指示された場合に、圧縮コンテンツデータ部分Ｄ３＃１〜＃６を先頭の圧縮コンテンツデータ部分Ｄ３＃１から順次解凍する（ステップＳ４）。
【００５１】
また、再生部１４５は、解凍部１４４によって得られる解凍コンテンツデータ部分Ｄ４＃１〜＃６を先頭の解凍コンテンツデータ部分Ｄ４＃１から順次再生する（ステップＳ５）。
【００５２】
再生部１４５は、圧縮コンテンツデータ部分Ｄ３＃１〜＃６の全てに対する解凍が完了する前に、先頭の解凍コンテンツデータ部分Ｄ４＃１の再生を開始する。
【００５３】
具体的には、再生部１４５は、圧縮コンテンツデータ部分Ｄ３＃１の解凍直後に解凍コンテンツデータ部分Ｄ４＃１の再生を開始する。すなわち、再生部１４５は、圧縮コンテンツデータ部分Ｄ３＃１〜＃６のうち先頭の圧縮コンテンツデータ部分Ｄ３＃１が解凍された後であって、残りの圧縮コンテンツデータ部分Ｄ３＃２〜＃６の解凍が開始される前又は残りの圧縮コンテンツデータ部分Ｄ３＃２〜＃６の解凍中に、解凍コンテンツデータ部分Ｄ４＃１の再生を開始する。
【００５４】
本実施形態では、再生部１４５は、先頭の圧縮コンテンツデータ部分Ｄ３＃１が解凍された後であって、解凍部１４４による圧縮コンテンツデータ部分Ｄ３＃２の解凍開始時に、解凍コンテンツデータ部分Ｄ４＃１の再生を開始する。
【００５５】
これにより、圧縮コンテンツデータ部分Ｄ３＃２の解凍と解凍コンテンツデータ部分Ｄ４＃１の再生とが平行して行われる。
【００５６】
また、再生部１４５が先頭の解凍コンテンツデータ部分Ｄ４＃１を再生中に、解凍部１４４が２番目の圧縮コンテンツデータ部分Ｄ３＃２を解凍して２番目の解凍コンテンツデータ部分Ｄ４＃２を得ることで、再生部１４５は、先頭の解凍コンテンツデータ部分Ｄ４＃１の再生終了と連続して２番目の解凍コンテンツデータ部分Ｄ４＃２の再生を開始することができる。
【００５７】
さらに、再生部１４５が２番目の解凍コンテンツデータ部分Ｄ４＃２の再生中に、解凍部１４４が３番目の圧縮コンテンツデータ部分Ｄ３＃３を解凍して３番目の解凍コンテンツデータ部分Ｄ４＃３を得ることで、再生部１４５は、２番目の解凍コンテンツデータ部分Ｄ４＃２の再生終了と連続して３番目の解凍コンテンツデータ部分Ｄ４＃３の再生を開始することができる。
【００５８】
（２．３）早送り再生又は巻き戻し再生時動作
次に、早送り再生又は巻き戻し再生時動作について説明する。図４は、チューナ内蔵ＨＤＤレコーダ１００の早送り再生又は巻き戻し再生時動作を説明するための動作説明図である。
【００５９】
図４に示すように、コンテンツデータ部分Ｄ２＃１〜＃６のそれぞれにおいて、複数の映像フレームのうち先頭の映像フレームＦ１は、静止画圧縮方式（例えばＪＰＥＧ）により圧縮されている。
【００６０】
解凍部１４４は、ＨＤＤ１５０に記憶されている、コンテンツデータＤ１に対応する圧縮コンテンツデータ部分Ｄ３＃１〜＃６の早送り再生又は巻き戻し再生をユーザ操作により指示された場合に、ＨＤＤ１５０に記憶されている圧縮コンテンツデータ部分Ｄ３＃１〜＃６のそれぞれの先頭の映像フレームＦ１のみを解凍する。先頭の映像フレームＦ１の解凍により静止画データが得られる。
【００６１】
また、再生部１４５は、解凍部１４４が圧縮コンテンツデータ部分Ｄ３＃１〜＃６のそれぞれについて解凍した先頭の映像フレームＦ１（静止画データ）を再生する。これにより、早送り再生又は巻き戻し再生が実現される。
【００６２】
（３）効果
以上説明したように、本実施形態に係るチューナ内蔵ＨＤＤレコーダ１００よれば、ＨＤＤ１５０に記憶されているコンテンツデータＤ１を圧縮コンテンツデータ部分Ｄ３＃１〜＃６に書き換えることによって、ＨＤＤ１５０の空き容量を増やすことができる。
【００６３】
また、圧縮コンテンツデータ部分Ｄ３＃１の解凍直後に解凍コンテンツデータ部分Ｄ４＃１の再生を開始することによって、先頭の解凍コンテンツデータ部分Ｄ４＃１の再生を早期に開始することができるため、コンテンツ再生時における解凍待ち時間を短縮できる。
【００６４】
したがって、本実施形態によれば、ＨＤＤ１５０の空き容量を増やしつつ、コンテンツ再生時における解凍待ち時間を短縮可能なチューナ内蔵ＨＤＤレコーダ１００を提供できる。
【００６５】
本実施形態では、圧縮部１４２は、複数のコンテンツデータ部分Ｄ２＃１〜＃６のうち先頭のコンテンツデータ部分Ｄ２＃１の時間長を他のコンテンツデータ部分Ｄ２（例えばコンテンツデータ部分Ｄ２＃２）よりも短くするよう分割した上で、複数のコンテンツデータ部分Ｄ２＃１〜＃６のそれぞれを圧縮する。
【００６６】
これにより、圧縮コンテンツデータ部分Ｄ３＃１〜＃６のうち先頭の圧縮コンテンツデータ部分Ｄ３＃１を解凍部１４４が解凍する際の解凍時間を短縮することができ、コンテンツ再生時における解凍待ち時間をさらに短縮できる。
【００６７】
本実施形態では、圧縮部１４２は、複数の映像フレームのうち先頭の映像フレームＦ１を静止画圧縮方式により圧縮する。そして、早送り再生又は巻き戻し再生が指示された場合に、解凍部１４４は、ＨＤＤ１５０に記憶されている複数の圧縮コンテンツデータ部分Ｄ３＃１〜＃６のそれぞれの先頭の映像フレームＦ１のみを解凍し、再生部１４５は、解凍部１４４が複数の圧縮コンテンツデータ部分Ｄ３＃１〜＃６のそれぞれについて解凍した先頭の映像フレームＦ１を再生する。
【００６８】
これにより、早送り再生や巻き戻し再生にも対応可能になり、ユーザの利便性が損なわれることを回避できる。
【００６９】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【００７０】
（４．１）変更例１
上述した実施形態では、圧縮部１４２が、コンテンツデータ部分Ｄ２＃１〜＃６のうち先頭のコンテンツデータ部分Ｄ２＃１の時間長を他のコンテンツデータ部分Ｄ２（例えばコンテンツデータ部分Ｄ２＃２）よりも短くするよう分割した上で、コンテンツデータ部分Ｄ２＃１〜＃６のそれぞれを圧縮する一例を説明した。
【００７１】
しかしながら、このような方法に限らず、圧縮部１４２は、コンテンツデータ部分Ｄ２＃１〜＃６のうち先頭のコンテンツデータ部分Ｄ２＃１の圧縮を省略した上で、残りのコンテンツデータ部分Ｄ２＃２〜＃６のそれぞれを圧縮してもよい。
【００７２】
これにより、先頭の圧縮コンテンツデータ部分Ｄ３＃１に対する解凍を省略可能になり、先頭の解凍コンテンツデータ部分Ｄ４＃１をそのまま再生できるため、コンテンツ再生時における解凍待ち時間をゼロにすることができる。
【００７３】
そして、先頭の解凍コンテンツデータ部分Ｄ４＃１の再生中に、２番目の圧縮コンテンツデータ部分Ｄ３＃２を解凍して２番目の解凍コンテンツデータ部分Ｄ４＃２を得ることで、先頭の解凍コンテンツデータ部分Ｄ４＃１の再生終了と連続して２番目の解凍コンテンツデータ部分Ｄ４＃２の再生を開始することができる。
【００７４】
さらに、２番目の解凍コンテンツデータ部分Ｄ４＃２の再生中に、３番目の圧縮コンテンツデータ部分Ｄ３＃３を解凍して３番目の解凍コンテンツデータ部分Ｄ４＃３を得ることで、２番目の解凍コンテンツデータ部分Ｄ４＃２の再生終了と連続して３番目の解凍コンテンツデータ部分Ｄ４＃３の再生を開始することができる。
【００７５】
（４．２）変更例２
上述した実施形態では、圧縮部１４２が、コンテンツデータ部分Ｄ２＃１〜＃６のそれぞれについて、複数の映像フレームのうち先頭の映像フレームＦ１を静止画圧縮方式（例えばＪＰＥＧ）により圧縮する一例を説明した。
【００７６】
しかしながら、このような方法に限らず、圧縮部１４２は、コンテンツデータ部分Ｄ２＃１〜＃６のそれぞれについて、先頭の映像フレームＦ１に対する圧縮を省略してもよい。
【００７７】
そして、再生部１４５は、早送り再生又は巻き戻し再生がユーザ操作により指示された場合に、ＨＤＤ１５０に記憶されている圧縮コンテンツデータ部分Ｄ３＃１〜＃６のそれぞれの先頭の映像フレームＦ１のみを再生する。
【００７８】
これにより、圧縮コンテンツデータ部分Ｄ３＃１〜＃６のそれぞれの先頭の映像フレームＦ１に対する解凍を省略可能になり、複数の先頭の映像フレームＦ１＃１〜＃６をそのまま再生できるため、早送り再生又は巻き戻し再生時における解凍待ち時間をゼロにすることができる。
【００７９】
（４．３）他の適用例
上述した実施形態では、記録再生装置の一例としてのチューナ内蔵ＨＤＤレコーダ１００を説明した。しかしながら、本発明は、チューナ内蔵ＨＤＤレコーダ１００以外の記録再生装置にも適用可能である。
【００８０】
図５は、本発明の記録再生装置のその他の実施形態であるＮＡＳ（Network Attached Storage）２００のハードウェア構成を示すブロック図である。ＮＡＳ２００は、ネットワークに直接接続して使用されるサーバ装置である。
【００８１】
ＮＡＳ２００は、自装置が再生するコンテンツデータを出力する１又は複数の出力端子２０１とを有する。出力端子２０１は、ＬＡＮやＷＡＮ等のネットワークに接続される。ＮＡＳ２００は、ネットワークに接続されるクライアント装置に対するユーザ操作に応じて遠隔操作される。
【００８２】
ＮＡＳ２００は、ＣＰＵ２４０と、ＣＰＵ２４０に接続されるＨＤＤ２５０と、ＣＰＵ２４０に接続されるネットワーク通信部２６０とを有する。ＣＰＵ２４０には、ＣＰＵ２４０が実行する制御プログラムを記憶するフラッシュメモリ２３１と、ＣＰＵ２４０の作業領域として使用されるＤＲＡＭ２３２とが接続される。
【００８３】
ＣＰＵ２４０は、コンテンツデータを圧縮、解凍、及び再生する機能と、ＮＡＳ２００全体を制御する機能とを有する。具体的には、ＣＰＵ２４０は、図２に示した不使用時間特定部１４１、圧縮部１４２、書き換え部１４３、解凍部１４４、及び再生部１４５のそれぞれの機能を提供する。
【００８４】
このように本発明は、ここでは記載していない様々な実施形態等を包含するということを理解すべきである。したがって、本発明はこの開示から妥当な特許請求の範囲の発明特定事項によってのみ限定されるものである。
【符号の説明】
【００８５】
１０…アンテナ、２０…リモコン、１００…チューナ内蔵ＨＤＤレコーダ、１０１…入力端子、１０２…出力端子、１１０…チューナ部、１２０…受光部、１３１…フラッシュメモリ、１４０…ＣＰＵ、１４１…不使用時間特定部、１４２…圧縮部、１４３…書き換え部、１４４…解凍部、１４５…再生部、１５０…ＨＤＤ、１６０…映像・音声出力部、２００…ＮＡＳ、２０１…出力端子、２３１…フラッシュメモリ、２３２…ＤＲＡＭ、２４０…ＣＰＵ、２５０…ＨＤＤ、２６０…ネットワーク通信部
【図１】
2012015713.tif 000003
【図２】
2012015713.tif 000004
【図３】
2012015713.tif 000005
【図４】
2012015713.tif 000006
【図５】
2012015713.tif 000007